(57)【特許請求の範囲】
【請求項１】
移動体内に配置され、前記移動体の進行方向の前記移動体外にある第１の被写体と前記移動体内に搭乗した第２の被写体とを同時に撮像する撮像装置であって、
前記第１の被写体像を投影する第１の投影部材と前記第２の被写体像を投影する第２の投影部材とを連結部で連結することにより構成した投影手段と、
該投影手段の下方向に配置され、該投影手段の前記連結部を含む領域を撮像することで、前記投影手段により投影した前記第１の被写体像及び前記第２の被写体像を撮像する撮像手段と、を備え、
前記投影手段は、前記第１の投影部材及び前記第２の投影部材の配置角度を任意に設定可能な構成を有し、同時に投影した前記第１の被写体像及び前記第２の被写体像を前記撮像手段に集光する位置に配設されることを特徴とする撮像装置。
【請求項２】
前記第１の被写体像が前記撮像手段に集光可能な角度になるように第１の投影部材と撮像手段を配置することを特徴とする請求項１記載の撮像装置。
【請求項３】
請求項１又は２に記載の撮像装置と、
前記投影手段を構成する前記第１の投影部材及び前記第２の投影部材の配置角度を調整する投影角度調整手段と、
前記投影手段の位置を調整する投影位置調整手段と、
前記撮像手段の位置を調整する撮像位置調整手段と、
前記撮像手段により撮像された映像を電気信号として出力する映像出力手段と、
を備えたことを特徴とする撮像システム。
【請求項４】
前記撮像手段に光学ズーム手段を備えたことを特徴とする請求項１に記載の撮像装置。
【請求項５】
請求項４に記載の撮像装置と、
前記投影手段を構成する前記第１の投影部材及び前記第２の投影部材の配置角度を調整する投影角度調整手段と、
前記投影手段の位置を調整する投影位置調整手段と、
前記撮像手段の位置を調整する撮像位置調整手段と、
前記光学ズーム手段のズーム量を調整するズーム調整手段と、
前記撮像手段により撮像された映像を電気信号として出力する映像出力手段と、
を備えたことを特徴とする撮像システム。
【請求項６】
前記撮像手段により撮像された前記第１の被写体像及び前記第２の被写体像を画像処理して夫々の被写体を認識する画像処理手段を備え、
該画像処理手段は、前記各被写体像の撮影範囲が所定の領域に収まっているか否かを判定し、該判定結果が否の場合、前記各調整手段を駆動して前記各被写体像の撮影範囲が所定の領域に収まるように調整することを特徴とする請求項３又は５に記載の撮像システム。
【請求項７】
前記撮像手段により撮像された前記第１の被写体像、又は／及び、前記第２の被写体像を反転させる反転画像処理手段を備えたことを特徴とする請求項３又は５に記載の撮像システム。
【発明の詳細な説明】
【技術分野】
【０００１】
本発明は、撮像装置及び撮像システムに関し、さらに詳しくは、移動体の進行方向と移動体内部の被写体とを同時に撮影するための画像取得技術に関するものである。
【背景技術】
【０００２】
従来から、車両に取り付けて車両前方や車内を撮影する車載カメラは既に知られている。しかし、今までの車載カメラは、その監視方向に専用に設置されたカメラが必要であり、例えば、車両前方と車内を同時に監視するためには、車両前方と車内を監視するカメラを別途設ける必要があった。そこで、１台のカメラで複数方向を同時に監視する場合は、魚眼レンズのような広角視野を持つレンズや双曲面ミラー、円錐形ミラーなどを採用して、車内と車外を含む全方位を視野に入れることも可能ではあるが、この方法によると、映像に不必要な部分が多く映ってしまうといった問題がある。例えば、車両前方とドライバーの映像が必要な場合でも、ボンネットなどの不必要な部分が映像の中に入ってきてしまい、その結果、必要とする部分の映像が小さくなってしまう。そこで、画像処理によって必要としている部分の映像を大きくすることもできるが、解像度が劣化してしまうという問題があった。
特許文献１には、１台のカメラで車両前方、側方、後方、及びドライバーの状態を監視し、さらに撮影した画像をドライバーが見やすいようにする目的で、全方位の映像を集光できるカメラと、撮影した映像を画像処理する装置について開示されている。
【発明の概要】
【発明が解決しようとする課題】
【０００３】
しかし、特許文献１に開示されている従来技術は、確かに１台のカメラで車外と車内を同時に撮影するという点では類似しているが、多くの不必要な部分カメラに入ってしまい、必要な映像が小さくなってしまうといった問題がある。また、撮影領域の任意の部分を拡大する画像処理をしたとしても、解像度が劣化してしまうという問題は解消できていない。
本発明は、２つの投影部材の組合せ角度、及び撮像装置の位置と方向を最適値に調整して、１台の撮像装置で移動体進行方向と移動体内部を同時に撮影することにより、撮影した映像の無駄な部分を除外し、移動体前方と移動体内の被写体の解像度を高くすることが可能な撮像装置を提供することを目的とする。
また、他の目的は、画像処理手段を備えて、２つの投影部材の組合せ角度、及び撮像装置の位置と方向を自動的に調整して、利用者の利便性を高めることである。
【課題を解決するための手段】
【０００４】
本発明はかかる課題を解決するために、請求項１は、移動体内に配置され、前記移動体の進行方向の前記移動体外にある第１の被写体と前記移動体内に搭乗した第２の被写体とを同時に撮像する撮像装置であって、前記第１の被写体像を投影する第１の投影部材と前記第２の被写体像を投影する第２の投影部材とを連結部で連結することにより構成した投影手段と、該投影手段の下方向に配置され、該投影手段の前記連結部を含む領域を撮像することで、前記投影手段により投影した前記第１の被写体像及び前記第２の被写体像を撮像する撮像手段と、を備え、前記投影手段は、前記第１の投影部材及び前記第２の投影部材の配置角度を任意に設定可能な構成を有し、同時に投影した前記第１の被写体像及び前記第２の被写体像を前記撮像手段に集光する位置に配設されることを特徴とする。
請求項２は、前記第１の被写体像が前記撮像手段に集光可能な角度になるように第１の投影部材と撮像手段を配置することを特徴とする。
請求項３は、請求項１又は２に記載の撮像装置と、前記投影手段を構成する前記第１の投影部材及び前記第２の投影部材の配置角度を調整する投影角度調整手段と、前記投影手段の位置を調整する投影位置調整手段と、前記撮像手段の位置を調整する撮像位置調整手段と、前記撮像手段により撮像された映像を電気信号として出力する映像出力手段と、を備えたことを特徴とする。
【０００５】
請求項４は、前記撮像手段に光学ズーム手段を備えたことを特徴とする。
請求項５は、請求項４に記載の撮像装置と、前記投影手段を構成する前記第１の投影部材及び前記第２の投影部材の配置角度を調整する投影角度調整手段と、前記投影手段の位置を調整する投影位置調整手段と、前記撮像手段の位置を調整する撮像位置調整手段と、前記光学ズーム手段のズーム量を調整するズーム調整手段と、前記撮像手段により撮像された映像を電気信号として出力する映像出力手段と、を備えたことを特徴とする。
請求項６は、前記撮像手段により撮像された前記第１の被写体像及び前記第２の被写体像を画像処理して夫々の被写体を認識する画像処理手段を備え、該画像処理手段は、前記各被写体像の撮影範囲が所定の領域に収まっているか否かを判定し、該判定結果が否の場合、前記各調整手段を駆動して前記各被写体像の撮影範囲が所定の領域に収まるように調整することを特徴とする。
請求項７は、前記撮像手段により撮像された前記第１の被写体像、又は／及び、前記第２の被写体像を反転させる反転画像処理手段を備えたことを特徴とする。
【発明の効果】
【０００６】
本発明によれば、第１の被写体像を投影する第１の投影部材及び第２の被写体像を投影する第２の投影部材により構成した投影手段と、該投影手段により投影した第１の被写体像及び第２の被写体像を撮像する撮像手段と、を備え、投影手段は、第１の投影部材及び第２の投影部材の配置角度を任意に設定可能な構成を有し、同時に投影した第１の被写体像及び第２の被写体像を撮像手段に集光する位置に配設されるので、撮影した映像の無駄な部分を除外し、移動体前方と移動体内の被写体の解像度を高くすることができる。また、画像処理手段を備えて、２つの投影部材の組合せ角度、及び撮像装置の位置と方向を自動的に調整するので、利用者の利便性を高めることができる。
【図面の簡単な説明】
【０００７】
【図１】本発明の撮像装置を車両に搭載した場合の模式図である。
【図２】撮影範囲を決定する要因について説明する図である。
【図３】適切な映像が撮影できる撮影範囲の一例を示す図である。
【図４】撮影方向が適切ではない場合の一例を示す図である。
【図５】ミラーの角度を変えて撮影範囲の調整動作を説明する図である。
【図６】車両前方の撮影範囲が広すぎであり、ドライバー側の撮影範囲が狭すぎる場合を示す図である。
【図７】カメラの向きを変えることによって撮影範囲を変えた例を示す図である。
【図８】カメラの位置を変えることによって撮影範囲を変えた例を示す図である。
【図９】撮影範囲が適切でない場合として、車両前方とドライバー側の撮影可能範囲が両方とも広すぎる場合について説明する図である。
【図１０】カメラが光学ズームしたときの撮影範囲の変化を示す図である。
【図１１】本発明の第一実施形態に係る撮像システムの一例を示す図である。
【図１２】本発明の第二実施形態に係る撮像システムの一例を示す図である。
【図１３】画像処理部により車両前方の撮影範囲を調整するときの動作の一例を示すフローチャートである。
【図１４】画像処理部によりドライバーの撮影範囲を調整するときの動作の一例を示すフローチャートである。
【図１５】車両前方の撮影範囲の広さとドライバーの顔の大きさを同時に調整する場合のフローチャートである。
【図１６】本撮像装置で撮像された適切な範囲の画像の一例を示す図である。
【図１７】カメラに撮影された画像を示す図である。
【図１８】画像処理して後の画像を示す図である。
【発明を実施するための形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１に本発明の撮像装置を車両に搭載した場合の模式図である。この撮像装置１００は、車両（移動体）１の進行方向（矢印）にある車外景色（第１の被写体）と車両１に搭載したドライバー（第２の被写体）５とを同時に撮像する撮像装置２０であって、車外景色像を投影するミラー（第１の投影部材）３及びドライバー５を投影するミラー（第２の投影部材）４により構成した組ミラー（投影手段）２１と、この組ミラー３により投影した車外景色像及びドライバー像５を撮像するカメラ（撮像手段）６と、を備え、組ミラー３は、ミラー３及びミラー４の配置角度αを任意に設定可能な構成を有し、同時に投影した車外景色及びドライバー５をカメラ６に集光する位置に配設される。
即ち、集光装置としてミラー３とミラー４の２枚のミラーを車内の天井付近に取り付け、ミラー３とミラー４の下方向の位置にカメラ６を設置する。カメラ６は上に向けて組ミラー２１を撮影する。ちょうどミラー３に車両前方の映像がカメラ６に集光できる角度でカメラ６とミラー３を設置する。ミラー４はドライバー５の映像がカメラ６に集光できる角度で設置する。そうすることで、１台のカメラ６で同時に車両前方とドライバー５を撮影することができる。また、組ミラー２１の角度やカメラ６の位置などを調整することで、ボンネット２などの不要な部分が映像に入らないようにすることができる。
図１では組ミラー２１がカメラ６の鉛直上方向に設置されているが、ミラーをカメラの上方に設置してカメラの向きを下向きにした構成でもかまわない。また、図１ではミラー３とミラー４が隙間なく接合しているが、これは撮影した映像の無駄な部分を減らすためである。ミラー３とミラー４の間があいていると、その部分の映像が無駄になってしまうため、なるべくミラー３とミラー４の間には隙間がないことが望ましい。実際に製品にするときには、カメラ６とミラー３、ミラー４を一体化して一つの小型のユニットとして使用する形態が考えられる。
【０００９】
図２は撮影範囲を決定する要因について説明する図である。カメラ６でミラー３とミラー４を同時に撮影し、各ミラーから反射した映像を撮影する。撮影可能範囲７、８はミラー３の角度ａとミラー４の角度ｂ、およびカメラ６の画角ｃ、ｄで決まる。図中の角度ｅ、ｆ、ｇ、ｈは夫々、
ｅ＝１８０−２ａ
ｆ＝１８０−２ｂ
ｇ＝１８０−２ａ＋ｃ
ｈ＝１８０−２ｂ＋ｄ
と表される。カメラ６に対するミラー３とミラー４の角度が変わり、角度ａ、ｂが大きくなると角度ｅ、ｆ、ｇ、ｈが小さくなり、撮影範囲が下のほうへと移っていく。また、ミラー３とミラー４に対するカメラ６の向きや位置が変わるなどして、角度ｃ、ｄが変化した場合も撮影範囲が変化する。例えば、カメラ６の向きが変わって角度ｃが大きくなったときには、角度ｇも大きくなり、車両前方の撮影範囲７が広くなる。逆に角度ｄは小さくなるので角度ｈも小さくり、ドライバー側の撮影範囲８は狭くなることになる。カメラ６の配置が変わらなくても、光学ズームなどによりカメラ６の画角を変えることができれば、角度ｃ、ｄが変わるので撮影範囲が変化する。以上のことから、図２に示した構成の撮像装置２０の撮影範囲は、ミラー３とミラー４の角度、ミラー３とミラー４に対するカメラ６の向きと位置、画角によって決まる。
実際にこの装置を車内に設置して、車両前方とドライバー５の両方を撮影しようとした場合、ある車種で撮影範囲が適切になるように、組ミラー２１の角度とカメラ６の向きを調整しても、別の車種では撮影範囲が適切ではなくなってしまう可能性がある。また、設置位置が変わったりしても、撮影範囲が変わってしまう。撮影範囲が適切になるように、ミラー３、４の角度とカメラ６の向きとカメラ６の画角を調整することができれば、車種や設置位置が異なっても適切な映像を撮影することが可能である。
【００１０】
図３は適切な映像が撮影できる撮影範囲の一例を示す図である。まず車両前方に関しては、ボンネット２が撮影範囲に入らないことが望ましい。そのため、撮影範囲の下限はボンネット２上部の近傍が良い。撮影範囲の上限は車両１の天井が入らなければ問題ない。ドライバー５の撮影範囲については、ドライバー５の顔がしっかりと撮影できる必要がある。また、車両１の天井の映像は無駄なので撮影範囲に入っていないことが望ましい。また、カメラ６の撮影範囲にミラー３とミラー４以外の部分が入ってしまうと、その部分は不要な画像となってしまうので、できるだけ２枚のミラー３、４のみを撮影範囲に収める必要がある。
撮影範囲が適切でない場合については、撮影方向が適切でない場合と撮影範囲の広さが適切ではない場合の二通りがある。
図４は撮影方向が適切ではない場合の一例を示す図である。図４に示すのは撮影方向が撮影したい方向になっていない場合である。車両１前方の撮影範囲７は下に向きすぎていて、ほとんどボンネット２が映ってしまっている。またドライバー側の撮影範囲８も下を向きすぎているため、ドライバー５の顔全体が撮影範囲に入っていない。このような場合は、ミラー３、４の角度を変えることで撮影範囲を変えることができる。
【００１１】
図５はミラーの角度を変えて撮影範囲の調整動作を説明する図である。図５に示すように角度ａと角度ｂを小さくすれば、撮影範囲が上の方へ移動する。逆に撮影範囲が上に向きすぎている場合には、角度ａと角度ｂを大きくすれば、撮影範囲を下の方へ移動できる。角度ａと角度ｂをそれぞれ個別に設定できるようにしておけば、車両前方の撮影範囲７とドライバーの撮影範囲８をそれぞれ個別に変えることができる。例えば、車両前方の撮影範囲７が下を向きすぎていて、ドライバーの撮影範囲８が上を向きすぎている場合には、角度ａを小さくして角度ｂを大きくすれば良い。
図５の撮影範囲を変える際の実施形態としては、ミラー３とミラー４を角度変更自在に連結しておき、手で簡単に角度を変えられるようにする方法がある。また、他にはミラー３とミラー４を角度固定で連結しておいて、ミラーの向きを変えることによって角度ａと角度ｂを変える方法もある。ただし、この方法では、ａ＋ｂが一定なので角度ａと角度ｂが個別に変更できないという欠点がある。さらに３つ目の方法として、角度固定で連結されたミラーで、角度ａと角度ｂが異なるものを複数用意しておき、それらを交換することで撮影範囲を変える方法もある。また、撮影範囲が適切ではない場合として、撮影方向が適切でない場合のほかに、撮影範囲が広すぎる、あるいは狭すぎるという場合が考えられる。
【００１２】
図６は車両前方の撮影範囲が広すぎであり、ドライバー側の撮影範囲が狭すぎる場合を示す図である。このように片方の撮影範囲が広すぎて、もう片方の撮影範囲が狭すぎる場合は、ミラー３、４に対するカメラ６の向きを変えるか、カメラ６と組ミラー２１の位置関係を変えることによって、適切な撮影範囲を得ることができる。
図７はカメラの向きを変えることによって撮影範囲を変えた例を示す図である。カメラ６の向きを変えたことによって、車両前方の撮影範囲７が狭くなり、ドライバー側の撮影範囲８が広くなることが分かる。逆に車両前方の撮影範囲７が狭すぎて、ドライバー側の撮影範囲８が広すぎた場合は、逆方向にカメラ６の向きを変えればよい。カメラ６の向きを変えると撮影範囲の広さだけでなく、撮影する方向も変化してしまうので、上記のミラー３、４の角度を調整する方法などを使って撮影方向を適切な方向に調整する必要がある。
図８はカメラの位置を変えることによって撮影範囲を変えた例を示す図である。撮影範囲が狭すぎる方へカメラ６を移動させると、移動方向の撮影範囲が広くなる。また、カメラ６の位置ではなくて組ミラー２１の位置を変えることによっても同様の効果が得られる。撮影方向が変わってしまうので、ミラー３、４の角度を調整するなどして、撮影方向も変える必要がある。
【００１３】
図９は撮影範囲が適切でない場合として、車両前方とドライバー側の撮影可能範囲が両方とも広すぎる場合について説明する図である。車両前方はボンネット２が撮影範囲に入ってしまい、ドライバー側では車両の天井が撮影範囲に入ってしまっている。この場合は、カメラ６の向きを変えて、たとえば車両前方の撮影範囲７を狭くしても、ドライバー側の撮影範囲８がさらに広くなってしまう。つまり、カメラの向きや位置を変えても、両方の撮影範囲を適切なものにすることはできない。このような場合、カメラ６を光学ズームレンズカメラにして、カメラの画角を変えることで両方の撮影範囲を適切なものにすることができる。
図１０はカメラが光学ズームしたときの撮影範囲の変化を示す図である。光学ズームとすることによってカメラの画角が狭くなり、撮影範囲も狭くなる。図７や図８で示した方法と、図１０に示した方法を組み合わせることで、車両前方の撮影範囲７とドライバー側の撮影範囲８の広さを自由に変えることが可能となる。
どんな車種に取り付けた場合でも車両前方とドライバーの最適な範囲の映像を得るためには、図５に示したミラーの角度を変える方法と、図７と図８に示したカメラの向きや位置を変える方法のどちらか一つと、図１０に示した光学ズームをする方法の３つを使う必要がある。ただし、１つの方法だけでも多少の調整は行うことができる。
【００１４】
図１１は本発明の第一実施形態に係る撮像システムの一例を示す図である。この撮像システム３０は、上記で説明した撮像装置２０と、組ミラー２１を構成するミラー３及びミラー４の配置角度を調整するミラー角度調整部（投影角度調整手段）１０と、組ミラー２１の位置を調整するミラー位置調整部（投影位置調整手段）１１と、カメラ６の位置を調整するカメラ位置調整部（撮像位置調整手段）１２と、光学ズーム手段のズーム量を調整する光学ズーム調整部（ズーム調整手段）１３と、カメラ６により撮像された映像を電気信号として出力する映像出力部（映像出力手段）１４と、を備えて構成されている。
本実施の形態は、車両１に搭載されたカメラ６と、そのカメラ６に車両前方の映像を集光するミラー３と、ドライバー５の映像を集光するミラー４と、カメラ６に接続された映像出力部１４からなる。ミラー３とミラー４は鉛直下向きに設置し、カメラ６は鉛直上向きに設置する。または、ミラー３とミラー４を鉛直上向きに設置して、カメラ６を鉛直下向きに設置してもかまわない。カメラは光学ズームレンズを持っているものが望ましい。映像出力部１４はカメラ６で撮影した映像を出力する部分で、モニターあるいは記録装置が考えられる。
【００１５】
無駄な映像を極力なくすように撮影範囲を調整するために、ミラー３とミラー４には撮影範囲が変わるようにミラーの角度を調整することが可能なミラー角度調整部１０と、ミラーの位置を調整することが可能なミラー位置調整部１１を設ける。また、カメラ６にも、カメラの位置を調整することが可能なカメラ位置調整部１２と、カメラの光学ズームをコントロールできる光学ズーム調整部１３を設ける。ミラー角度調整部１０と、ミラー位置調整部１１と、カメラ位置調整部１２、と光学ズーム調整部１３は、すべて設けなくても良いが、なるべく多くあったほうが望ましい。
撮影範囲の調整は、映像出力部１４をモニターにして、出力された映像を調整者が見ながら手動で調整する方法がある。他の方法としては、ドライバーの顔と車両の前方領域を認識する画像処理部１５をカメラ６に接続して、撮影範囲が適切な状態になっているかを判定し、もし適切でないならば自動的に撮影範囲を修正するという方法もある。この場合は、図１２に示すように、カメラ６により撮像された車外景色及びドライバー５を画像処理して夫々の被写体を認識する画像処理部（画像処理手段）１５を更に備え、画像処理部１５は、各被写体像の撮影範囲が所定の領域に収まっているか否かを判定し、判定結果が否の場合、各調整手段を駆動して各被写体像の撮影範囲が所定の領域に収まるように修正する。この構成のほうが本撮像装置を使用する際に使用者が調整する手間が省けるというメリットがある。
【００１６】
図１３は画像処理部により車両前方の撮影範囲を調整するときの動作の一例を示すフローチャートである。まず画像処理部１５はカメラ６から出力される画像データを受けて、車両前方の領域７を認識する（Ｓ１）。そして撮影範囲の広さが適切かを判定し（Ｓ２）、適切でない場合は（Ｓ２でＮＯ）、カメラ位置調整部１２、光学ズーム調整部１３、及びミラー位置調整部１１を夫々調整する（Ｓ３）。この動作を繰り返し撮影範囲の広さが適切になると（Ｓ２でＹＥＳ）、次に車両前方の撮影範囲が適切かを判定し（Ｓ４）、適切でない場合は（Ｓ４でＮＯ）、ミラー角度調整部１０を調整して（Ｓ５）、適切になるまで繰り返す。
図１４は画像処理部によりドライバーの撮影範囲を調整するときの動作の一例を示すフローチャートである。まず、画像処理部１５はカメラ６から出力される画像データを受けて、ドライバー側の撮影範囲８を認識する（Ｓ６）。次にドライバー５の顔が映っているかを判定する（Ｓ７）。映っていなければ（Ｓ７でＮＯ）、ミラー角度調整部１０を調整して（Ｓ８）、適切になるまで繰り返す。次に撮影範囲の広さが適切かを判定し（Ｓ９）、適切でない場合は（Ｓ９でＮＯ）、カメラ位置調整部１２、光学ズーム調整部１３、及びミラー位置調整部１１を夫々調整する（Ｓ１０）。この動作を繰り返し撮影範囲の広さが適切になると（Ｓ９でＹＥＳ）、次にドライバー５の顔の位置が適切かを判定し（Ｓ１１）、適切でない場合は（Ｓ１１でＮＯ）、ミラー角度調整部１０を調整して（Ｓ１２）、適切になるまで繰り返す。
【００１７】
図１５は車両前方の撮影範囲の広さとドライバーの顔の大きさを同時に調整する場合のフローチャートである。まず車両前方の撮影範囲７の広さが適切かを判定する（Ｓ１３）。適切でなければ（Ｓ１３でＮＯ）、カメラ位置調整部１２、光学ズーム調整部１３、及びミラー位置調整部１１を夫々調整する（Ｓ１５）。この動作を繰り返し撮影範囲の広さが適切になると（Ｓ１３でＹＥＳ）、次にドライバー５の顔の大きさが適切かを判定する（Ｓ１４）。適切でなければ（Ｓ１４でＮＯ）、同じくカメラ位置調整部１２、光学ズーム調整部１３、及びミラー位置調整部１１を夫々調整して（Ｓ１５）、この動作を繰り返す。
図１６は本撮像装置で撮像された適切な範囲の画像の一例を示す図である。画像の上半分１６が車両前方の映像、画像の下半分１７がドライバー５の映像になっている。図１６ではドライバー５の映像の上下がさかさまに映っている。本撮像装置では、車両前方の映像とドライバー５の映像の上下方向が逆向きなので、どちらか片方の映像が上下さかさまに映ってしまう。そこで、本発明の実施するにあたっては、図１７に示すようにカメラ６で撮像された映像のうちの、車両前方かドライバー５のどちらかの映像を上下反転させる画像処理部１８をカメラ６に接続する形態が考えられる。画像処理部１８では、映像の向きを直すだけでなく、撮像された映像を歪みのない映像に変化させる処理を同時に行っても良い。
図１８は画像処理を行った後の映像の一例を示す図である。
【符号の説明】
【００１８】
１  車両、２  ボンネット、３  ミラー、４  ミラー、５  ドライバー、６  カメラ、７  車両前方の撮影可能範囲、８  ドライバーの撮影可能範囲、９  撮影範囲外、１０  ミラー角度調整部、１１  ミラー位置調整部、１２  カメラ位置調整部、１３  光学ズーム調整部、１４  映像出力部、１５  画像処理部、１６  画像の上半分、１７  画像の下半分、１８  画像処理部、２０  撮像装置、２１  組ミラー、３０  撮像システム
【先行技術文献】
【特許文献】
【００１９】
【特許文献１】特許第３３２７２５５号
【図１】
0005589424.tif 000002
【図２】
0005589424.tif 000003
【図３】
0005589424.tif 000004
【図４】
0005589424.tif 000005
【図５】
0005589424.tif 000006
【図６】
0005589424.tif 000007
【図７】
0005589424.tif 000008
【図８】
0005589424.tif 000009
【図９】
0005589424.tif 000010
【図１０】
0005589424.tif 000011
【図１１】
0005589424.tif 000012
【図１２】
0005589424.tif 000013
【図１３】
0005589424.tif 000014
【図１４】
0005589424.tif 000015
【図１５】
0005589424.tif 000016
【図１６】
0005589424.tif 000017
【図１７】
0005589424.tif 000018
【図１８】
0005589424.tif 000019